(57)【要約】【課題】  認証に関係なく操作可能な部分についても適切な操作ログを安価に記録できるようにする。【解決手段】  画像処理装置１０に、強感度エリア８８にあるＩＣカードから、そのＩＣカードに登録されているユーザＩＤを受信するＩＣカードリーダユニット７９と、自機への操作を検出するセンサとを設け、そのセンサが操作を検出した場合に、検出した操作の内容と共に、これに対応させてＩＣカードリーダユニット７９が受信しているユーザＩＤをログファイルに記録させるようにした。センサにより検出させる操作としては、例えば、カバーの開閉や用紙トレイの開閉が考えられる。【選択図】        図１
2007248683.tif 000002
【特許請求の範囲】
【請求項１】
外部のデバイスから識別情報を受信する受信手段と、
当該電子装置の操作を検出する検出手段と、
該検出手段が操作を検出した場合に、検出した操作の内容と共に、これに対応させて前記受信手段が受信している識別情報を記録する記録手段とを設けたことを特徴とする電子装置。
【請求項２】
前記検出手段が、少なくともカバーの開閉又は用紙トレイの開閉の操作を検出する手段であることを特徴とする請求項１記載の電子装置。
【請求項３】
前記記録手段が、前記検出手段が前記操作を検出しない場合には、前記受信手段が受信した前記識別情報は記録しない手段であることを特徴とする請求項１又は請求項２記載の電子装置。
【請求項４】
前記記録手段が、前記操作内容を記録するときには、当該操作内容とともに、これに対応させて前記受信手段が受信している全ての識別情報を記録する手段であることを特徴とする請求項１乃至３のいずれか一項に記載の電子装置。
【請求項５】
前記記録手段が、前記操作内容を記録するときには、これに対応させて前記受信手段が受信している識別情報とともにその受信時の信号強度も記録する手段であることを特徴とする請求項１乃至４のいずれか一項に記載の電子装置。
【発明の詳細な説明】
【技術分野】
【０００１】
この発明は、自機への操作の履歴を記録する機能を有する電子装置に関するものである。
【背景技術】
【０００２】
従来から、プリンタ、複写機等の画像処理装置やパーソナルコンピュータ等の情報処理装置を始めとする電子装置において、認証によりユーザを識別し、使用権限を有するユーザのみに装置の使用を許可するようにすることが行われている。
このような装置は、例えば特許文献１に記載されている。そして、この文献に記載のシステムでは、ユーザＩＤを記録する記録媒体として磁気カードを用い、その磁気カードが管理装置にセットされた場合に、そのＩＤを有するユーザが管理装置に接続された装置を使用しようとしていると認識するようにしている。
【０００３】
また、ユーザＩＤを記録する記録媒体としては、特許文献２や特許文献３に記載のような非接触で読み取りが可能なＩＣカードも知られている。
【特許文献１】特開２０００−４７５３４号公報
【特許文献２】特開２００４−３４１７０２号公報
【特許文献３】特開２００５−３２１６１号公報
【発明の開示】
【発明が解決しようとする課題】
【０００４】
近年、非接触型ＩＣカードの普及に伴い、非接触型ＩＣカードのユーザ検出や認証手段としての利用が増加し、装置の使用に際して、非接触型ＩＣカードを用いてユーザの認証を行ってから通信、印刷、コピーといった機能を利用させるケースが増えている。
このような構成を採用すると、装置の機能が利用された場合、装置はどのユーザが利用したかを認識することができるため、利用された日時や数量を、認証したユーザのユーザＩＤ等と対応させて記録することにより、各ユーザが装置をどのように利用したかを把握できるようにすることができる。従って、後で記録を参照することにより、装置の不正使用を発見することも可能である。
【０００５】
しかしながら、認証を行ったユーザに関するログを記録するだけでは、装置の制御機能を利用しない不正操作（例えばプリンタやファクシミリ装置における用紙の窃盗、トナーの窃盗など）に対する対応としては不十分であった。すなわち、カバーや用紙トレイ等のメカニカルな機構を始め、認証を受けなくても操作できる部分については、従来の方法では適当な操作ログを記録できず、不正に対する抑止効果が不十分であった。
なお、装置のカバーやトレイを含む機器類について、認証が行われるまでの間、メカニカルな機構によって、開閉や取り外しを出来なくすることにより不正操作の防止は可能であるが、その機構を設けるための部品の追加及びこれを搭載するためのスペースが必要となり製品のコストを押し上げることとなる。
【０００６】
この発明はこのような問題を解決するためになされたものであり、認証に関係なく操作可能な部分についても適切な操作ログを安価に記録できるようにすることを目的とする。また、このことにより、不正操作に対する抑止効果を安価に得られるようにすることを目的とする。
【課題を解決するための手段】
【０００７】
上記の目的を達成するため、この発明による電子装置は、外部のデバイスから識別情報を受信する受信手段と、その機器の操作を検出する検出手段と、その検出手段が操作を検出した場合に、検出した操作の内容と共に、これに対応させて上記受信手段が受信している識別情報を記録する記録手段とを設けたものである。
【０００８】
このような電子装置において、上記検出手段を、少なくともカバーの開閉又は用紙トレイの開閉の操作を検出する手段とするとよい。
さらに、上記記録手段を、上記検出手段が上記操作を検出しない場合には、上記受信手段が受信した上記識別情報は記録しない手段とするとよい。
【０００９】
さらに、上記記録手段を、上記操作内容を記録するときには、その操作内容とともに、これに対応させて上記受信手段が受信している全ての識別情報を記録する手段としてもよい。
さらにまた、上記記録手段を、上記操作内容を記録するときには、これに対応させて上記受信手段が受信している識別情報とともにその受信時の信号強度も記録する手段としてもよい。
【発明の効果】
【００１０】
この発明の電子装置によれば、認証に関係なく操作可能な部分についても適切な操作ログを安価に記録できるようにすることができる。また、このことにより、不正アクセスに対する抑止効果を安価に得ることができる。
【発明を実施するための最良の形態】
【００１１】
以下、この発明を実施するための最良の形態を図面に基づいて具体的に説明する。
まず、図２に、この発明の電子装置の実施形態である画像処理装置の断面の概略構成を示す。
図２に示すように、この画像処理装置１０は、自動原稿送り装置（ＡＤＦ）２０，画像読取ユニット３０，画像形成ユニット４０を備える。
そして、ＡＤＦ２０は、読み取り開始が指示された場合に、原稿台２１上に載置された原稿束を、一番下の原稿から順に給送ローラ２２，給送ベルト２３によってコンタクトガラス２４上の所定の位置に給送する。また、一枚の原稿給送完了により原稿枚数をカウントアップするカウント機能も有している。
【００１２】
ＡＤＦ２０は、給送した原稿の画像を画像読取ユニット３０によってコンタクトガラス２４上で読み取らせた後、その原稿を給送ベルト２３及び排送ローラ２５によって排出する。さらに、原稿センサ２６にて原稿台２１に次の原稿が有ることを検知した場合、次の原稿を前原稿と同様にコンタクトガラス２４上に給送する。給送ローラ２２，給送ベルト２３，排送ローラ２５は後述する搬送モータによって駆動される。
【００１３】
また、画像形成ユニット４０は、第１給紙トレイ４１，第２給紙トレイ４２，第３給紙トレイ４３に積載された転写紙のいずれかを、対応する第１給紙装置４４，第２給紙装置４５，あるいは第３給紙装置４６によって給紙し、縦搬送ユニット４７によって感光体４８に当接する位置まで搬送する。
一方、画像読取ユニット３０によって読み取ったり、ＨＤＤ（ハードディスクドライブ）等の記憶手段から読み出したり、外部から受信したデータに基づいて描画したりした画像データに基づいて駆動される書き込みユニット４９からのレーザによって感光体４８に画像データと対応する画像が書き込まれ、現像ユニット５０によりトナー像が形成される。
【００１４】
そして、転写紙は感光体４８の回転と等速で搬送ベルト５１によって搬送され、感光体４８上のトナー像が転写紙に転写される。その後、定着ユニット５２にて画像を転写紙上に定着させ、排紙ユニット５３によってその転写紙を排紙トレイ５４に排出する。
転写紙の両面に画像を作像する場合は、給紙トレイ４１〜４３から給紙し作像した転写紙を排紙トレイ５４側に導かないで、両面入紙搬送路５５に搬送し、反転ユニット５６でスイッチバック反転し両面搬送ユニット５７に送る。両面搬送ユニット５７に送った用紙は、再度縦搬送ユニット４７に送って裏面に画像を形成した後排紙する。
また、転写紙を反転して排出する場合は反転ユニット５６でスイッチバック反転した用紙を両面搬送ユニット５７に送らずに反転排紙搬送路５８に送り出して排紙する。
【００１５】
感光体４８，搬送ベルト５１，定着ユニット５２，排紙ユニット５３，現像ユニット５０は後述のメインモータによって駆動され、各給紙装置４４〜４６はメインモータの駆動を後述の給紙クラッチによって伝達して駆動される。縦搬送ユニット４７はメインモータの駆動を後述の中間クラッチによって伝達して駆動される。
また、画像形成ユニット４０の前面には、装置カバー５９が取り付けられ、画像形成部の保守作業等の場合には、これを開閉することができる。また、装置カバー５９を開けると、現像ユニット５０や感光体４８を取り出して交換することもできる。
【００１６】
次に、この画像処理装置１０の画像読取ユニット３０における、画像を読み取る動作及び、読み取った画像を感光体４８の面上に潜像形成するまでの動作を説明する。潜像とは感光体面上に画像を光情報に変換して照射することにより生じる電位分布である。
【００１７】
画像読取ユニット３０は、原稿を載置するコンタクトガラス２４と光学走査系で構成されており、光学走査系には、露光ランプ３１、第１ミラー３２、レンズ３５、ＣＣＤイメージセンサ３６等を含む。露光ランプ３１及び第１ミラー３２は図示しない第１キャリッジ上に固定され、第２ミラー３３及び第３ミラー３４は図示しない第２キャリッジ上に固定されている。原稿像を読み取るときには、光路長が変わらないように、第１キャリッジと第２キャリッジとが２対１の相対速度で機械的に走査される。この光学走査系は、図示しないスキャナ駆動モータにて駆動される。
【００１８】
原稿画像は、ＣＣＤイメージセンサ３６によって読み取られ、電気信号に変換されて処理される。レンズ３５及びＣＣＤイメージセンサ３６を図２内の左右方向に移動させることにより、画像倍率を変えることができる。すなわち、指定された倍率に対応してレンズ３５及びＣＣＤイメージセンサ３６の左右方向の位置が設定される。
【００１９】
書き込みユニット４９は、レーザ出力ユニット３７、結像レンズ３８、ミラー３９で構成され、レーザ出力ユニット３７の内部には、レーザ光源であるレーザダイオード及びモータによって高速で定速回転する回転多面鏡（ポリゴンミラー）が備わっている。
レーザ出力ユニット３７より照射されるレーザ光は、定速回転するポリゴンミラーで偏向され、結像レンズ３８を通り、ミラー３９で折り返され、感光体４８の面上に集光結像する。その結果、読み取られた画像が潜像形成される。
【００２０】
次に、図３に、この画像処理装置１０に備える操作パネルの構成を示す。
図３に示すように、操作パネル６０は、液晶タッチパネル６１，テンキー６２，クリア／ストップキー６３，プリントキー６４，予熱キー６５，リセットキー６６，アプリケーション切替キー群６７，初期設定キー６８を備える。
そして、液晶タッチパネル６１には、画像処理装置１０に対する動作指示を受け付けたり、画像処理装置１０の状態を表示したりするためのＧＵＩ（グラフィカル・ユーザ・インタフェース）画面を表示する。
【００２１】
また、アプリケーション切替キー群６７の各キーを押下すると、画像処理装置１０に実行させるアプリケーションを選択することができ、その左に設けられた選択されたアプリケーションを表示するＬＥＤインジケータが点灯し、液晶タッチパネル６１には、選択したアプリケーションの画面が表示される。
【００２２】
また、初期設定キー６８を押下すると、装置の初期状態をカスタマイズするモードに入ることができる。このモードでは、装置が収納する用紙のサイズ、又はコピー機能の使用中にクリア／ストップキー６３を押下したときに設定される状態等を任意に設定したり、後述するユーザ認証設定の登録、変更が可能である。
予熱キー６５を押下すると、装置を待機状態から消費電力低減状態に移行させ、定着温度を低下させたり、操作パネル６０の表示を消灯させたりすることができる。予熱状態を解除し、待機状態に移行させるには、操作パネル６０内のいずれかのキーを押下すればよい。
【００２３】
図４は、コピー機能時における液晶タッチパネルの表示画面の一例を示す図である。
オペレータが、この液晶タッチパネル６１に表示された各キーにタッチした場合、後述するＭＰＵは、選択された機能を示すキーの表示を黒く反転させることにより、そのキーと対応する機能が選択されたことを示す。また、機能の詳細を指定しなければならない場合（例えば変倍であれは変倍値等）は、そのキーにタッチ操作があると詳細機能の設定画面を表示させる。液晶タッチパネル６１は、ドット表示器を使用しているので、常に最適な表示をグラフィカルに行なうことができる。
【００２４】
また、図４に示す表示画面の中央上部には、「コピーできます」、「お待ちください」等のメッセージを表示するメッセージエリア６１ａがある。ここで表示されるメッセージの中には、装置内の紙詰まり（ジャム）又は装置のドア、カバー類のオープンを示すメッセージ等も含まれる。
【００２５】
次に、この画像処理装置１０の制御系の構成について説明する。
図５は、その制御系の概略構成を示すブロック図である。
この図に示すように、画像処理装置１０に備えるメインコントローラ７０は、ＭＰＵ７１，ＲＡＭ７２，ＲＯＭ７３，及び不揮発性メモリ（ＮＶ−ＲＡＭ）７４を搭載する。
このうちＭＰＵ７１は中央処理装置であって、画像処理装置１０全体を統括制御する制御手段であり、ＲＯＭ７３や不揮発性メモリ７４に記録された種々のプログラムを実行することにより種々の機能を実現する。
【００２６】
ＲＯＭ７３は不揮発性の記憶手段であり、ＭＰＵ７１が実行するプログラムや、固定的なパラメータの値等を記憶する。ＲＯＭ７３を書き換え可能な記憶手段として構成し、これらのデータをアップデートできるようにしてもよい。
ＲＡＭ７２は、一時的に使用するデータを記憶したり、ＭＰＵ７１のワークメモリとして使用したりする記憶手段である。ページ描画用の画像メモリも、ここに設けるとよい。
不揮発性メモリ（ＮＶ−ＲＡＭ）７４は、フラッシュメモリ等による書き換え可能な不揮発性記憶手段であり、ＭＰＵ７１が実行するプログラムや、装置の電源がＯＦＦされた後でも保持しておく必要があるパラメータの値等を記憶する。
【００２７】
また、メインコントローラ７０には、図３に示した操作パネル６０、スキャナの制御や原稿画像を画像メモリに書き込む制御、画像メモリからの画像データに基づく作像の制御等を行う画像処理ユニット（ＩＰＵ）７６、および原稿の給排送動作を行なうＡＤＦ２０等の分散制御装置が接続されている。これらの各分散制御装置とメインコントローラ７０は、必要に応じて装置の状態を示す情報や動作指令のやりとりを行なっている。
また、メインコントローラ７０にはＨＤＤ７５も接続され、ここに多くの画像データを記録することができる。そして、必要に応じてその画像データを画像メモリに転送して印刷処理等に利用することもできる。また、ＨＤＤ７５には、画像処理装置１０のログファイルやユーザの操作内容など、管理に係る情報等を記録することができる。
【００２８】
さらに、メインコントローラ７０には、紙搬送等に必要なメインモータ７７および各種クラッチ８０〜８３も接続されている。前述したように、図２に示した感光体４８、搬送ベルト５１、定着ユニット５２、排紙ユニット５３、現像ユニット５０は、メインモータ７７によって駆動され、各給紙ユニット４４〜４６にはメインモータ７７の動力が各々給紙クラッチ８０〜８２によって伝達される。縦搬送ユニット４７にはメインモータ７７の動力が中間クラッチ８３によって伝達される。
【００２９】
また、操作パネル６０には前述した液晶タッチパネル６１、および入力キー６２〜６８等が設けられており、ＡＤＦ２０には原稿を搬送する部分を駆動する搬送モータ７８と原稿のセット状態を検知する原稿センサ２６が設けられている。
その他にメインコントローラ７０には給紙トレイ４１〜４３毎にトレイの開閉を検知する給紙トレイセンサ８４〜８６及び装置カバー５９の開閉を検知するためのカバーオープンセンサ８７も接続されている。これらの各センサが検出手段であり、これらの各センサにより、各給紙トレイ４１〜４３や装置カバー５９に対する操作が検出できる。
【００３０】
また、メインコントローラ７０には、利用者認証、利用制限、および機器近傍でのユーザの識別を行うために、非接触型のＩＣカードリーダユニット７９も接続されている。このＩＣカードリーダユニット７９は、無線通信により、ユーザに携帯させる非接触型ＩＣカードから、そのＩＣカードに登録されている識別情報を受信する受信手段である。
この識別情報は、画像処理装置１０の利用権限の管理や、操作ログの記録に用いるものであり、例えばユーザ毎に割り当てられたユーザＩＤや会社内の部門毎に割り当てられた部門ＩＤ、あるいはこれらの組み合わせ等が考えられるが、単にカード自体を識別するための情報であってもよい。
【００３１】
次に、この画像処理装置１０において、ＩＣカードリーダユニット７９により受信する識別情報を利用して実現する機能について説明する。
図１は、この画像処理装置１０の上面とＩＣカードリーダユニット７９の電波受信エリアを模式的に示した図である。
この図に示すように、ＩＣカードリーダユニット７９は、操作パネル６０の右側に取り付けられている。そして、このＩＣカードリーダユニット７９としては、電波の受信感度を切り替えることができるものを採用しており、概ね強感度エリア８８内にＩＣカードがある場合にそのＩＣカードから情報を受信可能な強感度モードと、概ね弱感度エリア８９内にＩＣカードがある場合にそのＩＣカードから情報を受信可能な弱感度モードとを切り替えることができるようにしている。
【００３２】
そして、強感度モードと弱感度モードとを周期的に切り替える等して、強感度エリア８８及び弱感度エリア８９のそれぞれにつき、その内部にあるＩＣカードから、そのＩＣカードに登録されている識別情報を受信し、どの識別情報を持つＩＣカードが各エリア内にあるかを把握できるようにしている。
【００３３】
そして、ＭＰＵ７１は、ユーザのＩＤを確認できるまでは画像処理装置１０の機能を利用できない状態にしておき、ＩＣカードリーダユニット７９が弱感度モードでユーザのＩＤを受信し、そのＩＤのユーザに画像処理装置１０の利用権限があると判断した場合に、画像処理装置１０を利用可能な状態にする制御を行う。
【００３４】
このような機能を実現するため、画像処理装置１０においては、ユーザのＩＤを確認できるまでは液晶タッチパネル６１に図６に示すような画面を表示させておくようにしている。すなわち、「ＩＣカードを認証装置に近づけてください」と認証を促す認証要求画面６９を表示させ、実際に画像処理装置１０を操作するためのキー群等はこの画面に隠されて操作できないようにしている。
【００３５】
そして、画像処理装置１０を利用しようとするユーザが、自身のＩＤが登録されたＩＣカードを、ＩＣカードリーダユニット７９の近傍に弱感度エリア８９内まで近づけると、ＩＣカードリーダユニット７９は弱感度モードでそのＩＣカードに登録されているＩＤを受信する（読み取る）ことができる。ＩＣカードリーダユニット７９は、弱感度モードでＩＤを受信すると、受信したＩＤをＭＰＵ７１に通知して、そのＩＤのユーザに画像処理装置１０の利用権限があるか否かを判定させる。
【００３６】
ＭＰＵ７１は、この通知があると、ＮＶ-ＲＡＭ７４等に格納した権限情報を参照してそのＩＤのユーザが画像処理装置１０を利用する権限を有するか否か判定する。そして、権限を有すると判定すると、ユーザをログインさせ、液晶タッチパネル６１の表示を、図４に示したような画面に切り替えて、画像処理装置１０の機能を利用できる状態にする。すなわち、画面に表示されたキー群を操作することにより、コピー等の操作を行うことができるようにする。
【００３７】
また、ＭＰＵ７１は、ユーザがログインしている状態で行った動作をＩＤと対応させて動作ログとして記録しておき、後で参照できるようにする。このとき、課金に使用する印刷枚数の情報など、用途が明確な情報については、動作ログとは別に記録するようにしてもよい。
さらに、ＭＰＵ７１は、ユーザがログインした状態でリセットキー６６が押下された場合、ログイン中のユーザが画像処理装置１０の利用を終了したと判断してそのユーザをログアウトさせ、画像処理装置１０の機能を利用できない状態に戻す。
【００３８】
また、ログアウトについては、ログインさせたユーザのＩＤを有するＩＣカードが強感度エリア８８内になくなった場合に、ユーザが画像処理装置１０の利用を終えて立ち去ったと判断し、そのユーザをログアウトさせるようにすることも考えられる。このようにすれば、リセットキー６６の押下忘れによりログイン状態が維持されてしまうことがない一方、一旦ログインした後は、ＩＣカードを弱感度エリア８９内に置いておかなくても画像処理装置１０の利用を継続でき、利便性が高い。
【００３９】
ただし、このようにする場合でも、ＩＣカードが強感度エリア８８内に入ったことをトリガにログイン認証を行うとすると、単に近くを通りかかっただけで画像処理装置１０を使用する意思のないユーザもログインさせてしまうことになるし、複数ユーザがいる（ＩＣカードがある）場合の取扱いも複雑になるから、ログイン判定は、ＩＣカードが弱感度エリア８９内に入ったことをトリガに行うようにするとよい。
【００４０】
ところで、ＩＣカードリーダユニット７９は、以上のログイン判定に用いるか否かとは関係なく、上述のように、周期的に強感度エリア８８内にあるＩＣカードからの識別情報の受信を試みており、このことにより、強感度エリア８８内にどの識別情報を持つＩＣカードがあるかを把握できる。また、その際に識別情報受信時の信号強度も検出し、このことによりＩＣカードまでの大まかな距離も把握することができる。
【００４１】
そして、ＩＣカードリーダユニット７９は、これらの情報に変化があるとＭＰＵ７１に対して状態変化通知を行い、それに応じてＭＰＵ７１から問い合わせがあった場合に、その時点で把握している情報をＭＰＵ７１に通知することにより、ＭＰＵ７１も、これらの情報を把握することができるようにしている。なお、状態変化通知は、例えば新たな識別番号を受信したり、今まで受信していた識別番号を受信できなくなったり、識別番号受信時の信号強度が変化したりした場合に行うことになる。
【００４２】
一方、ＭＰＵ７１は、図５に示した第１給紙トレイセンサ８４，第２給紙トレイセンサ８５，第３給紙トレイセンサ８６，カバーオープンセンサ８７といった開閉センサの検出内容を監視しており、これらのセンサにより、ユーザによる給紙トレイ４１〜４３や装置カバー５９に対する操作（オープンイベントやクローズイベント）を検出すると、その検出した操作の内容と共に、これに対応させて強感度エリア８８内にあるＩＣカードから受信している識別情報を、ＨＤＤ７５中のログファイルに記録する。
このとき、複数のＩＣカードが強感度エリア８８内にあれば、全てのＩＣカードから受信している識別情報を記録し、また、それぞれの識別情報と共に、その受信時の信号強度も記録するようにするとよい。
【００４３】
ここで、図７及び図８に、ＭＰＵ７１が上記のログの記録のために実行する処理のフローチャートを示す。
ＭＰＵ７１は、画像処理装置１０の電源投入時に、所要の初期化処理の終了後、図７及び図８のフローチャートに示す処理を、独立に開始する。
【００４４】
そして、図７のフローチャートに示す処理においては、ＭＰＵ７１は、ステップＳ１１で、ＩＣカードリーダユニット７９からの状態変化通知があるまで待機する。そして、状態変化通知があると、ステップＳ１２に進み、ＩＣカードリーダユニット７９から受信中の識別情報及びその信号強度の情報を取得し、ステップＳ１３で、その取得した情報に基づき、検知中としている識別情報とその信号強度の情報を更新する。その後、ステップＳ１１に戻って処理を繰り返す。
【００４５】
以上の処理により、ＭＰＵ７１は、ＩＣカードリーダユニット７９が強感度モードでＩＣカードから受信している識別情報に基づき、強感度エリア８８内にどの識別情報が登録されたＩＣカードが存在し、そのそれぞれがＩＣカードリーダユニット７９から概ねどの程度の距離に存在しているかを把握することができる。
また、各ユーザがそのユーザのＩＤを登録したＩＣカードを常に携帯しているのであれば、どのＩＤのユーザが強感度エリア８８内にいて、各ユーザがどの程度の距離にいるかを把握することができると言える。
【００４６】
また、図８のフローチャートに示す処理においては、ＭＰＵ７１は、まずステップＳ２１で各開閉センサの状態（検出内容）を取得し、ステップＳ２２でこれらのセンサの状態に変化があるか否か判断する。そして、変化がないと判断した場合には、ステップＳ２１に戻って処理を繰り返す。
【００４７】
一方、変化があると判断した場合には、ステップＳ２３で、変化のあった開閉センサの状態を更新して新たな比較基準とすると共に、ステップＳ２４で、開閉センサの状態変化内容から検出された操作の内容（給紙トレイオープン／クローズ、カバーオープン／クローズ等）と、図７のステップＳ１３で更新した検知中の識別情報及びその信号強度の情報とを対応させてＨＤＤ７５中のログファイルに記録する。このとき、操作がなされた時刻の情報も記録するとよい。その後、ステップＳ２１に戻って処理を繰り返す。
【００４８】
以上の処理により、ＭＰＵ７１は、ユーザがログインしていない場合でも、画像処理装置１０に対して操作がなされた場合に、その操作内容と対応させて、装置近傍にあるＩＣカードから受信した識別情報を記録することができる。各ユーザがそのユーザのＩＤを登録したＩＣカードを常に携帯しているのであれば、これは、操作内容と対応させて、装置近傍にいるユーザの情報を記録していることになる。
【００４９】
従って、ユーザがログインしないで行った操作についても、ユーザの情報と対応させて記録することができる。従って、用紙トレイ中の用紙が不正に取り出されていたり、使用中のトナーが不正に持ち去られていたりした場合には、ログファイルを参照することにより、誰が用紙トレイや本体カバーを開閉したかの情報を把握することができ、犯人の特定に役立つ情報を得ることができる。
また、装置がこのような機能を有することを周知させておけば、不正を働いても犯人がわかってしまうという認識が生まれ、不正に対する抑止効果を得ることができると考えられる。
【００５０】
なお、以上のような画像処理装置１０の場合、操作者がＩＣカードを携帯していなければ、操作があった場合でもその操作者のＩＤを記録できないし、他人のＩＣカードを携帯していれば、他人のＩＤを記録してしまうことになる。しかし、例えば、顔写真付きの社員証をＩＣカードとし、各社員に常に見える位置に携帯することを義務付ける等すれば、ＩＣカードの不携帯や他人のＩＣカードの携帯は、周りの人間が容易に発見して注意したり不審者と認識したりすることができると考えられるので、運用上の工夫により、このような不具合がさほど問題とならないようにすることは、容易と考えられる。
【００５１】
また、運用に工夫が必要な点があったとしても、低コストで犯人の特定に役立つ情報を得たり、不正に対する抑止効果を得たりできることの効果のほうが、大きいと考えられる。なお、ログファイルの内容を、用紙補給や機器のメンテナンスのログとして利用することも当然可能である。
また、以上のような用途を考慮すれば、強感度エリア８８の範囲は、手を延ばせば装置に届く範囲をカバーできる程度の範囲、例えば半径１〜２ｍ程度の範囲が好ましいと考えられる。
【００５２】
さらに、単にＩＣカードから識別情報を受信したというだけではその情報をログファイルには記録せず、その状態で操作を検出した場合のみＩＣカードから受信した識別情報を記録するようにすれば、ログファイルのサイズを無駄に増加させないようにすることができる。なお、ＩＣカードが強感度エリア８８内にない状態で画像処理装置１０に対する操作を検出した場合にも、その旨をログファイルに記録するようにするとよい。ＩＣカードを持たないユーザによる不正操作の可能性があるためである。
【００５３】
また、操作検出時に複数のＩＣカードから識別情報を受信していた場合に、それらの識別情報を全て記録するようにすれば、操作検出時にＩＣカードを持つ複数のユーザが装置の近傍にいる場合でも、その状況をログファイルに記録することができる。
また、その際に受信時の信号強度も記録するようにすれば、どのＩＣカードを持つユーザが操作を行った可能性が高いかを特定することができる。
【００５４】
以上で実施形態の説明を終了するが、装置の構成、使用する情報、具体的な処理内容等が、上述の実施形態で説明したものに限られないことはもちろんである。
例えば、上述した実施形態においては、識別情報を送信してくるデバイスとして、ＩＣカードを用いる例について説明したが、これに代えて、識別信号を常にあるいは間欠的に発信する発信機等のデバイスを用いてもよく、形状もカード状のものに限られることはない。識別情報の発信についても、能動的に行うデバイスであっても、外部からの信号に応じて受動的に行うデバイスであってもよい。
【００５５】
また、これらのデバイスから識別情報を受信する受信手段も、デバイスの構成に対応したものを採用すればよく、ＩＣカードリーダユニットに限られないことは、もちろんである。また、上述の強感度モードと弱感度モードのように感度を複数段階に切り替える機能や、識別情報受信時の信号強度を検出する機能は、必須ではない。
また、逆に、識別情報受信時の信号強度を検出する代わりに、信号の検出感度を多段階に順次切り替えて識別情報の受信を試み、どの段階の感度まで識別情報を受信できるかに応じて、各デバイスまでの距離を見積もることができるようにしてもよい。感度毎にどの程度の距離から識別情報を受信可能かを見積もっておけば、識別情報を受信できる最低感度に対応する距離付近に発信源のデバイスがあると認識することができる。
【００５６】
また、監視を行い、検出時にログファイルに記録する操作についても、カバーや用紙トレイの開閉操作に限ることはなく、ＡＤＦへの用紙の載置、コンタクトガラス上の圧板の開閉、トナーカートリッジの着脱等、任意の操作を対象としてよい。また、外付けＨＤＤ，メモリカード，ＵＳＢ（Universal Serial Bus）等により活線挿抜が可能な装置を始めとする、着脱可能な装置、部品、媒体等の着脱も、記録対象としてよい。そして、検出可能な操作のうちどの操作を記録対象とするか、ユーザ又は管理者が選択できるようにしてもよい。
利用権限のあるユーザ以外の操作をソフトウェア的に排除することが困難なものにつき、上述のようなログの記録を行うと特に効果的であるが、これに限られることもない。
【００５７】
また、この発明が、画像処理装置に限らず、ネットワーク家電，自動販売機，医療機器，電源装置，空調システム，ガス・水道・電気等の計量システム，汎用コンピュータ，自動車，航空機等の任意の電子装置に適用可能であることはもちろんである。そして、これらの電子装置に適用する場合、その装置の機能、構成、使用状況等に応じて、適当な操作をログファイルへの記録対象とすればよい。
【００５８】
また、識別情報を受信する受信器等を、電子装置の本体と別に設けたり、ログイン認証用の受信器と別に設けたりすることも、妨げられない。ユーザの存在を検知したい範囲が、装置本体や操作パネルと離れた位置である場合も考えられるためである。また、電子装置においてログイン認証を行うこと自体も、必須ではない。
また、上述した各実施形態及び変形例の内容は、矛盾しない範囲で適宜組み合わせて適用することも可能である。
【産業上の利用可能性】
【００５９】
以上説明してきたようなこの発明による電子装置によれば、認証に関係なく操作可能な部分についても適切な操作ログを安価に記録できるようにすることができる。また、このことにより、不正アクセスに対する抑止効果を安価に得ることができる。
従って、この発明を適用することにより、不正行為の抑止効果をもつ電子装置を安価に提供することができる。
【図面の簡単な説明】
【００６０】
【図１】この発明の電子装置の実施形態である画像処理装置の上面とＩＣカードリーダユニットの電波受信エリアを模式的に示す図である。
【図２】この発明の電子装置の実施形態である画像処理装置の構成を示す概略断面図である。
【図３】その画像処理装置に備える操作パネルの構成を示す図である。
【図４】その操作パネルに設けた液晶タッチパネルに表示させるコピー機能時の表示画面の一例を示す図である。
【図５】図２に示した画像処理装置における制御系の概略構成を示すブロック図である。
【００６１】
【図６】図３に示した液晶タッチパネルに表示させるログイン認証前の表示画面の一例を示す図である。
【図７】図５に示したＭＰＵが実行する処理を示すフローチャートである。
【図８】図５に示したＭＰＵが実行する別の処理を示すフローチャートである。
【符号の説明】
【００６２】
１０：画像処理装置，４１〜４３：第１〜第３給紙トレイ，５９：装置カバー，
６０：操作パネル，７０：メインコントローラ，７１：ＭＰＵ，７２：ＲＡＭ，
７３：ＲＯＭ，７４：ＮＶ−ＲＡＭ，７５：ＨＤＤ，７９：ＩＣカードリーダユニット，
８４：第１給紙トレイセンサ，８５：第２給紙トレイセンサ，
８６：第３給紙トレイセンサ，８７：カバーオープンセンサ，
８８：強感度エリア，８９：弱感度エリア
【図１】
2007248683.tif 000003
【図２】
2007248683.tif 000004
【図３】
2007248683.tif 000005
【図４】
2007248683.tif 000006
【図５】
2007248683.tif 000007
【図６】
2007248683.tif 000008
【図７】
2007248683.tif 000009
【図８】
2007248683.tif 000010